(57)【特許請求の範囲】
【請求項１】
第１の建造物（１０６）付近に位置する携帯端末からユーザ（１０２）が、前記第１の建造物（１０６）の技術的特性と同様の技術的特性を特徴とするように選択された第２の建造物（１０８）に関連するデータにアクセス可能な、建造物（１０６、１０８）に関連するデータを処理するためのシステム（１００）であって、
詳細にはインターネットなどの電気通信網（１１２）を介して、前記第１の建造物（１０６）および前記第２の建造物（１０８）の地理的位置および建設時期に関連するデータを自動的に識別するための手段（１２２、１２４１、１２６１、１２８１、１２４２、１２６２、１２８２、１２４３、１２６３、１２８３）と、
建造物間の最大地理的距離（Ｒｍａｘ）および前記建造物の建設時期間の最大時間的距離を定義するための手段と、
前記第１および第２の建造物の間の地理的距離が前記最大地理的距離（Ｒｍａｘ）よりも小さく、且つ、前記第１および第２の建造物の間の建設時期の時間的距離が前記最大時間的距離（Ｔｍａｘ）よりも小さい場合に、前記第１の建造物（１０６）および前記第２の建造物（１０８）に関連するデータを自動的に選択および表示するための手段（１１４、１１６、１１８、１２０、１２２）と
を含むことを特徴とする、システム（１００）。
【請求項２】
前記第１の建造物（２００１０６）のアイコンおよび所与の第２の建造物（１０８）の各アイコン（２００１０８）との間の距離が、前記第１の建造物（１０６）と前記所与の第２の建造物（１０８）との間の前記地理的距離および時間的距離を表すように、前記携帯端末（１０４）の画面（１１４）で見られる前記第１の建造物（１０６）および前記第２の建造物（２００１０６、２００１０８）を表示するための手段を含むことを特徴とする、請求項１に記載のシステム（１００）。
【請求項３】
前記第２の建造物（１０８）の前記アイコン（２００１０８）が、その形状、色、および／または他の特性が前記第１の建造物（１０６）と各第２の建造物（１０８）との間の前記地理的および／または時間的距離を表す、各第２の建造物（１０８）に特有のセグメント（２０１）によって前記第１の建造物（１０６）の前記アイコン（２００１０６）と関連付けられるような手段を含むことを特徴とする、請求項１または２に記載のシステム（１００）。
【請求項４】
第３の建造物を識別するための手段であって、前記第３の建造物は、前記第１および第３の建造物の間の地理的距離が前記第１および第２の建造物の間の地理的距離よりも大きく、且つ、前記第１および第３の建造物の間の時間的距離が前記第１および第２の建造物の間の時間的距離よりも大きい場合に識別される手段と、
前記携帯端末の前記画面上の前記第２のアイコンの周辺部に配置されたアイコン（２２０）によって前記第３の建造物を自動的に表す手段とをさらに含むことを特徴とする、請求項１乃至３のいずれか１項に記載のシステム（１００）。
【請求項５】
同様の特性を特徴とする建造物のグループ（２２０）に前記建造物のアイコンを集めるための手段を含むことを特徴とする、請求項１乃至４のいずれか１項に記載のシステム（１００）。
【請求項６】
前記考慮に入れられる特性が、次の特性、すなわち建設時期、建設技術、建設様式、位置、建造物の機能、建築士名、建造物の建設出資者名のうちの少なくとも１つを含むようにする手段を含むことを特徴とする、請求項５に記載のシステム（１００）。
【請求項７】
前記第１の建造物と第２の建造物との間の地理的および／または時間的違いを表す単一軸（５０６）に沿って前記第１の建造物（１０６）および第２の建造物（１０８）の前記アイコン（２００１０６、２００１０８）を表すための手段を含むことを特徴とする、請求項１乃至６のいずれか１項に記載のシステム（１００）。
【請求項８】
地理的距離を表すマップ上の表示と、前記時間的建設距離を表す軸（５０６）に沿った表示との間で切り替えるための手段を含むことを特徴とする、請求項７に記載のシステム（１００）。
【請求項９】
ＧＰＳ（Ｇｌｏｂａｌ  Ｐｏｓｉｔｉｏｎｉｎｇ）型の衛星座標によって、前記第１の建造物を手動または自動で識別するための手段を含むことを特徴とする、請求項１乃至８に記載のシステム（１００）。
【請求項１０】
第１の建造物付近に位置する携帯端末からユーザが、前記第１の建造物の技術的特性と同様の技術的特性を特徴とするように選択された第２の建造物に関連するデータにアクセス可能な、建造物に関連するデータを処理するための方法であって、
サーバが、詳細にはインターネットなどの電気通信網を介して、前記第１の建造物および前記第２の建造物の地理的位置および建設時期に関連するデータを自動的に識別するステップと、
前記サーバが、建造物間の最大地理的距離（Ｒｍａｘ）および前記建造物の建設時期間の最大時間的距離を前記携帯端末から受信するステップと、
前記第１および第２の建造物の間の地理的距離が前記最大地理的距離（Ｒｍａｘ）よりも小さく、且つ、前記第１および第２の建造物の間の時間的距離が前記最大時間的距離（Ｔｍａｘ）よりも小さい場合に、前記第１の建造物および前記第２の建造物に関連する距離を前記サーバが自動的に選択および表示するためのステップと
を含む方法。
【発明の詳細な説明】
【技術分野】
【０００１】
本発明は、建造物に関するデータを処理するためのシステムに関する。
【背景技術】
【０００２】
様々な業界の多くの専門家は、例えば、新しい建造物の建築または既存の建造物の改修に関するプロジェクトに備えて建造物の研究を行う。
【０００３】
このために、このような専門家は一般に、地面の性質または対象の建造物の環境など、自身のプロジェクトに関連する情報を収集するために現場、すなわち建築および／または改修される建造物の場所に行かなければならない。
【０００４】
関連情報の中で専門家は一般に、建築または改修される建造物と技術的に同様の建造物に関連する情報を得ることを望む。こうした同様の建造物の変化を研究することにより、対象の建造物を建設／改修するときどの改善点を考慮に入れるべきかを強調することができるからである。
【０００５】
実際に、同一プロセスを使用して建設される建造物は、一般に、時間とともに現れる同様の利点および欠点を有する。
【０００６】
それでもなお、専門家は上述のように、当然ながら同様の建造物を探す際にどのパラメータが関連するかを識別するために現場に行く必要がある。しかしながら、現場では、専門家は資料および事典などの書類を所有せず、その目的は、建造物をその技術的特徴によってリストアップすることである。
【発明の概要】
【発明が解決しようとする課題】
【０００７】
本発明は、建造物の専門家が第１の建造物の場所で、同様の特徴を有する建造物に関連する情報にアクセスできるようにするシステムを提供することによって、この欠点を改善することを目的とする。これは、建造物があまり離れていない位置にあって、より近い年月日に建造されたとき、建造物はより多くの同様の技術的特徴を有するという見解に由来する。
【課題を解決するための手段】
【０００８】
例えば、互いに近くに位置する建造物は、一般に同じ建設材料を使用し、同じ時代に建設される建造物は、その時代の同じ技術的知識を使用する。
【０００９】
このような理由で、本発明は、建造物に関連するデータ処理システムに関する。このシステムは、ユーザが携帯端末（詳細には第１の建造物付近に位置する携帯端末）から、上記第１の建造物の技術的特性と同様の技術的特性を特徴として備えているために選択された第２の建造物と関連しているデータにアクセスできるようにするために実装され、
−  詳細にはインターネットなどの電気通信網を介して、上記第１の建造物および上記第２の建造物の地理的位置および建設時期に関連するデータを自動的に識別するための手段と、
−  建造物間の最大地理的距離、および上記建造物の建設時期間の最大時間的距離を定義するための手段と、
−  こうした第２の建造物が上記第１の建造物から最大地理的距離よりも小さい距離に位置し、第１の建造物の建設時期から最大時間的距離よりも小さい時間的距離だけ離れた時期の間に建設されるときはいつでも、上記第１の建造物および上記第２の建造物に関連するデータを自動的に選択して表示するための手段と
を含むことを特徴とする。
【００１０】
このようなシステムのおかげで、専門家は第１の建造物の場所から高速かつ適切に、第１の建造物と同様または同一の技術的特性を特徴とすることができる１つまたは複数の第２の建造物のリストにアクセスすることができる。
【００１１】
このように、建築業界の技術者は、同様の建造物を識別するために、実装される特性の適切性（ｒｅｌｅｖａｎｃｅ）を現場で判断し、こうした特性が識別されると、同様の建造物に関する情報を使用して、自身の建造物の建設および／または改修プロジェクトを改善することができる。
【００１２】
１つの実施形態では、このシステムは、上記第１の建造物および上記第２の建造物を携帯端末の画面上に配置されたアイコンによって表示するための手段を含み、第１の建造物のアイコンと所与の第２の建造物の各アイコンとの間の距離が、上記第１の建造物と上記所与の第２の建造物との間の地理的距離および／または時間的距離を表すようにする。
【００１３】
１つの実施形態によれば、このシステムは、第２の建造物のアイコンが、第２の建造物それぞれに特有のセグメントによって第１の建造物のアイコンと関連付けられるようにする手段を含み、その形状、色、および／または他のいかなる特性も、上記第１の建造物と各第２の建造物との間の地理的距離および／または時間的距離を表す。
【００１４】
１つの実施形態では、このシステムは、上記第２の建造物を第１の建造物から隔てる地理的および／または時間的距離よりも大きい上記第１の建造物からの地理的および／または時間的距離に位置する第３の建造物を識別するための手段と、上記携帯端末の画面上の第２のアイコンの周辺部に配置されたアイコンによって上記第３の建造物を自動的に表すための手段とを含む。
【００１５】
１つの実施形態によれば、このシステムは、それ自体の同様の特性を特徴とする建造物のグループによって建造物のアイコンを表示するための手段を含む。
【００１６】
１つの実施形態では、このシステムは、考慮に入れられる特性が、次の特性、すなわち建設時期、建設技術、建設様式、位置、建造物の機能、建築士名、建設出資者名のうちの少なくとも１つを含むようにする手段を含む。
【００１７】
１つの実施形態によれば、このシステムは、上記第１の建造物と第２の建造物との間の地理的距離および／または時間的距離を表す単一軸に沿って第１の建造物および第２の建造物のアイコンを表すための手段を含む。
【００１８】
１つの実施形態によれば、このシステムは、地理的距離を表す軸に沿った表示と時間的距離を表す軸に沿った表示とを切り替えるための手段を含む。
【００１９】
１つの実施形態では、システムは、ＧＰＳ（Ｇｌｏｂａｌ  Ｐｏｓｉｔｉｏｎｉｎｇ）型の衛星座標によって上記第１の建造物を手動または自動で識別するための手段を含む。
【００２０】
本発明はまた、建造物に関連するデータを処理するための方法に関し、この方法は、ユーザが携帯端末、詳細には第１の建造物付近に位置する携帯端末から、上記第１の建造物の技術的特性と同様の技術的特性を特徴とするように選択された第２の建造物に関連するデータにアクセスできるように実装され、
−  詳細にはインターネットなどの電気通信網を介して、上記第１の建造物および上記第２の建造物の地理的位置および建設時期に関連するデータを自動的に識別するステップと、
−  建造物間の最大地理的距離および上記建造物の建設時期間の最大時間的距離を定義するステップと、
−  こうした第２の建造物が、上記第１の建造物から最大地理的距離よりも小さい距離離れて位置し、最大時間的距離よりも小さい時間的距離だけ第１の建造物の建設時期から離れた時期の間に建設されるときはいつでも、上記第１の建造物および上記第２の建造物に関連するデータを自動的に選択して表示するステップと
を実行する実施形態のうちの１つによるシステムを実装することを特徴とする。
【００２１】
本発明の他の特徴および利点は、添付の図面を参照して、説明のための非限定的例として示す以下の説明を読むと明らかになるであろう。
【図面の簡単な説明】
【００２２】
【図１】本発明によるシステムを概略的に示す図である。
【図２】建造物間の時間的距離および地理的距離を処理する本発明によるシステムによって取得される送信データのヒューマン／マシンインタフェースを示す図である。
【図３】建造物間の時間的距離および地理的距離を処理する本発明によるシステムによって取得される送信データのヒューマン／マシンインタフェースを示す図である。
【図４】建造物間の時間的距離および地理的距離を処理する本発明によるシステムによって取得される送信データのヒューマン／マシンインタフェースを示す図である。
【図５】様々な時間的距離を処理する本発明によるシステムによって取得されるデータを送信するヒューマン／マシンインタフェースを示す図である。
【発明を実施するための形態】
【００２３】
異なる図に表示される、構造または機能が同一の要素は、別段の指定がない限り、同じ参照符号を有する。
【００２４】
図１を参照すると、本発明は、建造物に関連するデータを処理するためのシステム１００に関し、このシステム１００は、ユーザ１０２が携帯端末１０４、詳細には第１の建造物１０６近くに位置する携帯端末から、上記第１の建造物１０６の技術的特性と同様の技術的特性を特徴とするように選択された第２の建造物１０８に関連するデータにアクセスできるように実装される。
【００２５】
そのためにシステム１００は、詳細にはインターネットなどの電気通信網１１２を介して、上記第１の建造物１０６および上記第２の建造物１０８の地理的位置および建設時期に関連するにデータを、自動的に識別するための手段を含む。
【００２６】
この実施形態では、こうした手段は、ソフトウェア・インタフェース１１４またはゲートウェイを含み、端末１０４をネットワーク１１２に接続するオペレータによって管理されるサーバ１１６を介してユーザ１０２が上記ネットワーク１１２にアクセスできるようにする。
【００２７】
ネットワーク１１２のデータへのアクセスを加速するために、サーバ１１６は、メモリ・キャッシュ１１８、ならびにネットワーク１１２を介して取得されたデータが一時的にまたは永久的に格納されるデータベース１２０と関連付けられる。
【００２８】
建造物の地理的位置および建設時期に関するこのデータは、ネットワーク１１２のサーバ１２４１、１２４２、または１２４３からこのデータを要求するソフトウェア手段１２２によって取得される。
【００２９】
このためにこうした手段１２２は、ネットワーク１１２が上記インターネットであると仮定すると、ＩＰ（Ｉｎｔｅｒｎｅｔ  Ｐｒｏｔｏｃｏｌ）プロトコルのような通信プロトコルを使用し、このような情報のリクエストを送信し、上記プロトコルに準拠したインタフェース１２８１、１２８２、または１２８３を介して、関連するデータベース１２６１、１２６２、または１２６３に各サーバ１２４１、１２４２、または１２４３によって格納されたデータを受信できるようにする。
【００３０】
さらに、ユーザ１０２は、建造物間の最大地理的距離Ｒｍａｘ（例えば、１０、１００、１０００、もしくは１０，０００ｋｍ）および建造物の建設時期間の最大時間的距離Ｔｍａｘ（例えば、１０、５０、１００、２００、もしくは４００年）を定義し、手段１２２が、データベース１２６１、１２６２、もしくは１２６３の中の識別される建造物の中から、最大地理的距離より小さい上記第１の建造物からの距離に位置し、最大時間的距離よりも小さい時間的距離だけ第１の建造物１０６の建設時期から離れた時期に建設された第２の建造物１０８を選択できるようにする。
【００３１】
このように、選択された第２の建造物１０８は、地理的および時間的距離に関して近接性（ｐｒｏｘｉｍｉｔｙ）を特徴とし、これにより選択された第２の建造物は建造物１０６の技術的特性と同様の技術的特性を特徴とすることができる。
【００３２】
この段階では、変形形態によってシステム１００は、例えば建造物名を入力するなどユーザ１０２からの指示の助けにより手動で、または例えばＧＰＳ（Ｇｌｏｂａｌ  Ｐｏｓｉｔｉｏｎｉｎｇ）型の衛星座標により自動的に、第１の建造物１０６の位置を識別するための手段を含むことに注意すべきである。
【００３３】
第１の建造物の識別に基づいて、また選択の結果をユーザ１０２にアクセスできるようにするために、端末１０４は、第１の建造物１０６のアイコン建造物２００１０６と所与の第２の建造物１０８の各アイコン２００１０８との間の距離が、上記第１の建造物１０６と各第２の建造物１０８との間の地理的および／または時間的距離を表すように、上記第１の建造物１０６および上記第２の建造物１０８のアイコン（図２）をインタフェース１１４内に表示するための手段を含む。
【００３４】
さらに、この実施形態では、第２の建造物１０８の各アイコン２００１０８が、第１の建造物１０６およびその第２の建造物１０８によって形成される各ペアに特有の１つのセグメントを意味する特定のセグメント２０１によって、第１の建造物１０６のアイコン２００１０６と関連付けられる。
【００３５】
典型的には各セグメント２０１の形状、この例では長さ、および／または色は、それによって第１の建造物１０６と上記セグメント２０１によって関連付けられた第２の建造物１０８との間の、地理的および／または時間的距離を表す。
【００３６】
図３に示すインタフェース１１４の１つの変形では、建造物ｉのアイコン２００ｉは、テキスト情報についてはスクリプト２０４、あるいはアイコン２００ｉに使用される画像を補完する写真および画像２０６のような、対象の建造物ｉに関する情報を提供する双方向リンク２０２ｉと関連付けることができる。
【００３７】
別の変形では、建造物１０６とセグメント２０１’に関連付けられた建造物１０８’との間に特別の関係があることを強調するために、セグメント２０１’を強調表示することができる。
【００３８】
アイコン２００１０８は、アイコン２００１０６の周りに中心グループ、すなわちこの中心グループの周辺部に配置された空間（ｒｏｏｍ）２２０とは異なる、地理的および時間的距離に関して第１の建造物１０６とのより少ない類似性を特徴とする他の建造物のアイコンにアクセスできる空間を形成する。
【００３９】
本発明の１つの変形では、このシステムはまた、第２の建造物１０８を上記第１の建造物１０６から隔てる距離よりも大きい第１の建造物からの距離に位置する、および／または上記第１の建造物の建設年月日から、第２の建造物の第２の時期よりも大きい期間だけ離れた年月日に建築された、第３の建造物を識別するための手段を含む。
【００４０】
このような場合、こうした第３の建造物は、上記携帯端末の画面上の第２のアイコンの周辺部に位置するアイコンで表すことができるが、添付の図面では明確にするためにこれを示していない。
【００４１】
明確にするために、１つの実施形態では、独自の同様の特性を特徴とする建造物のグループでアイコンを表示し、このような特性は、次の特性、すなわち建設時期、建設技術、建設様式、位置、建造物の機能、建築士名、建造物の建設の出資者名のうちの少なくとも１つを含む。
【００４２】
図４を参照すると、システム１００、またはよりわかりやすく端末１１４は、例えばマップ５０４上で、単に地理的表現５０２に従って、第１の建造物１０６および第２の建造物１０８の簡素化されたアイコン５００を示すための、および／または、例えば時間軸５０６に沿って、単に時間的表現５０６に従って例示的アイコン５００’を示すための、手段を含むことができる。
【００４３】
１つの実施形態では、システム１００は、こうした２つの表現を同時に表示するための手段および／またはこれらを切り替えながらこうした表現の１つだけを表示するための手段を含む。
【００４４】
さらに、図５を参照すると、こうした表現のそれぞれは変形を有することができる。例えば、各建造物が建設された時期を示す第１の時間的アクセス５０６に沿ったアイコン５００’の表現は、こうした建造物の１つまたは複数に関連する公開日などの追加情報を示す第２の時間軸５０８によって完成することができる。
【００４５】
本発明は、多くの変形形態を前提としている。例えばシステム１００は、所与の場所周辺の時間および空間の基準に基づいて関連の検索を行うことが有利である可能性がある、建造物以外の技術的要素に関連するデータを処理するために実装することができる。
【００４６】
１つの変形によれば、本発明は、美術館としての機能を果たす建造物を訪れるなど、文化的プロジェクトという状況の中で関連情報を提供するために実施することができる。
【００４７】
この状況では、本発明により、同様の時代からの、所与の近傍性（ｖｉｃｉｎｉｔｙ）内の、例えば同様の様式を有する他の建造物があるかどうかを端末から調べることができるようになる。
【００４８】
より一般的に言えば、本発明は、建造物についてこの文書に記載する方法に類似した方法を使用して、絵画または彫刻などの作品に関する情報を取得するために実施することができる。このように、美術館を訪れるユーザは、見物する作品に関連する遠方の作品、およびこうした作品に関連する情報（典型的には様式、時代、場所および／または作者の
うな類似点）を示す仮想美術館に、ユーザの携帯電話からアクセスすることができる。
【００４９】
このような場合、美術館、文化財団、および見物する作品の技術的特性に関する情報を提供するその他の機関のサーバは、サーバ１２４１、１２４２、または１２４３として実装される。したがって、文化作品の見物者／見学者は、自身の端末を介して、見物／見学する作品に重要な作品に関する大量の情報に自動的にアクセスすることができ、その結果は、技術情報（距離、時代など）を簡単で興味をそそる方法で提供するように明記される。
【００５０】
さらに、見物者は、それによって作品に固有のあらゆる情報（作成日、様式、製作者など）、および作品に付帯的な、すなわち他の作品および対象の作品が作成された状況に関連するあらゆる情報にアクセスすることができ、システムは、インターネットなどのネットワーク上でこれを識別することができる。
【００５１】
結果として、建造物を定義するために使用される技術的特性は、本発明の用途に基づいて変わる可能性があり、これらは次の特性、すなわち建設時期、建設技術、建設様式、場所、建造物の機能、建築士名、出資者名のうちの少なくとも１つを含むことがわかる。
【００５２】
本発明によるシステムは、リアルタイムの動的な情報を提供し、ユーザによって設定される、技術的特性、最大距離などのパラメータに基づいて変わることができ、これによりユーザはユーザ自身の興味および見物する建造物に合わせてカスタマイズされたデータベースを所有できることに注意されたい。
【００５３】
さらに、インタフェース１１４の表現は、２次元または３次元（２Ｄまたは３Ｄ）とすることができ、これによりシステムのユーザは、例えば建設時期または様式基準によってグループ化された結果に対して直観的アプローチを行うことができる。
【００５４】
異なる様式、ローマおよびゴシックのように明らかに相反する異なる技術的特性に基づいて、建造物を建設することができる。
【００５５】
このような場合、建造物は、こうした異なる技術的特性のすべてと関連付ける、またはより単純に、最も新しいもの（最新の様式）または最も有力なもの（主要建設材料）など、これらの１つのみと関連付けることができる。
【図１】
0005646049.tif 000002
【図２】
0005646049.tif 000003
【図３】
0005646049.tif 000004
【図４】
0005646049.tif 000005
【図５】
0005646049.tif 000006